(57)【要約】【課題】  残香をできるだけ減らし、香りを持続的に感じさせることができる、香り発生手段および香り連続発生方法を提供することを目的とする。【解決手段】  香料の射出タイミングを電子的に制御できる香り発生方法において、同一の香料を第１の時間閾値以下の間隔で、断続的に多数回射出することを特徴とする香り発生方法。【選択図】  図１３
2008061937.tif 000002
【特許請求の範囲】
【請求項１】
香料の射出タイミングを電子的に制御できる香り発生方法において、同一の香料を第１の時間閾値以下の間隔で、断続的に多数回射出することを特徴とする香り発生方法。
【請求項２】
香料の射出タイミングを電子的に制御できる香り発生方法において、異なる香料を第２の時間閾値以上の間隔で、断続的に多数回射出することを特徴とする香り発生方法。
【請求項３】
前記第１の時間閾値は０．７５［ｓ］であることを特徴とする請求項１記載の香り発生方法。
【請求項４】
前記第１の時間閾値は０．３４［ｓ］であることを特徴とする請求項１記載の香り発生方法。
【請求項５】
前記香りの送出速度を制御する送風手段により同一の香料又は異なる香料を射出する際には、前記送風速度を大きくするに従って、前記第１の時間閾値及び前記第２の時間閾値を短く設定することを特徴とする請求項１又は請求項２に記載の香り発生方法。
【発明の詳細な説明】
【技術分野】
【０００１】
本発明は、インクジェット方式などを用いて空間内に香料を放出する香り発生方法に関する。
【背景技術】
【０００２】
近年、リラックスやリフレッシュ、疲労回復などの効果を得ることを目的に、天然精油や合成精油などの香料を摂取する香料療法（アロマセラピー）が注目されている。また、これまで視聴覚情報のみの伝達に限られていた複合現実感（ＭＲ）技術においても、香料を呈示することでより臨場感を高めるという技術が注目を集めている。
【０００３】
香料の呈示方法としては、香料を自然に気化させることで空間内に充満させたり、固形の香料をファンで気化・拡散させたりすることなどが一般的であった。しかし、これら従来の方法では、呈示する香料の量を自在に制御することが容易でなかった。そのため、香料が空間全体に拡散してしまい、すでに呈示した香料が空間内に残留して不快感を催してしまうことがあった。
【０００４】
他の香料提示方式として、プリンタで応用されているインクジェット方式を利用してインクの代わりに香料を射出する技術も開示されている。（例えば、特許文献１、２を参照のこと）。インクジェット方式では、射出する香料の量およびタイミングを正確にコントロールできるという特性を持っている。従って人間の閾値程度のわずかな量の射出コントロールで、人に様々な感じを与えることも可能である。
【特許文献１】特開平４−２６６７６２号公報
【特許文献２】特開平１０−１４６３８５号公報
【特許文献３】特開２００３−２６０１２２号公報
【特許文献４】特開２００３−０７６８７４号公報
【特許文献５】特開２００３−１６２２１２号公報
【発明の開示】
【発明が解決しようとする課題】
【０００５】
しかしながら特許文献１、２では具体的な香り射出方法については述べられていない。
香料を制御して放出する方法としては、香料の呈示を受ける人の呼吸のリズムに応じて、人が空気を吸っている時に香料射出を行う方法が提案されている（特許文献３参照）。しかしながらこの方式では、人が息を吸っている間には香料を呈示し続けることがあるために、香料の拡散の抑制が充分とは言えなかった。さらに連続して射出していても人の嗅覚は順応特性があるために、連続して香りを感じさせている保証はなかった。
【０００６】
また射出されて気化した香料を拡散するためにファンを用いる装置は多数見受けられるが、ファンと香料の射出方法を組合せてコントロールし、余分な香料を射出しないようにする方法は提案されてこなかった。
【０００７】
さらには、複数の香料を用いて複数の香りを同時に射出して香りを混合したり、順番に射出して複数の香りを提供する機器が開発されている。（特許文献４，５参照）しかしながら、連続的に射出した場合にタイミングや残香の影響で、複数の香りが混じって所望の香りが得られないという現象は考慮されてこなかった。
【０００８】
本発明は、このような従来の問題点を解消すべく創案されたもので、残香をできるだけ減らし、香りを持続的に感じさせることができる香り発生方法を提供することを目的とする。
【課題を解決するための手段】
【０００９】
本発明は、香料を保有しかつ前記香料を電子的に射出制御することにより香りを発生する香り発生方法において、同じ香りを第１の時間閾値以下の時間間隔で断続的に射出することによって、香料の射出量を抑えて、残香が周囲に拡散するのを防止するとともに、ユーザに香りを連続的かつ持続的に感じさせることができる香り発生方法を提供する。
【００１０】
また、上記香り発生方法において、異なる香りを第２の時間閾値以上の時間間隔で射出することで、異なる香りが混合されることなく、ユーザに連続的に感じさせることができる香り発生方法を提供する。
【発明の効果】
【００１１】
本発明により、残香をできるだけ減らし、香りを持続的に感じさせることができる。
【発明を実施するための最良の形態】
【００１２】
次に本発明に係る香り発生装置および香り発生装置および連続発生方法の好適な実施例を図面に基づいて説明する。
【実施例】
【００１３】
［香り発生装置］
本発明の一実施形態の構成概念を示す図１（１）は香り発生装置全体の斜視図である。１０は発生装置の筐体であり、図の手前側が開口部になっている。１２は香料タンクで、香りの元となる香料が液状で格納されている。この装置１０の動作の様子を図１（２）を用いて説明する。図１（２）は図１（１）をＡＡ‘ＢＢ’面で切断した側面図である。香料タンク１２の下部に香料を射出するノズルヘッド１１があり、香料は鉛直下方向に液状で射出される。ノズルヘッド１１は後述するが、例えばインクジェットプリンタのノズルヘッドと同様の部材から構成される。１５は風を送るためのファンであり、装置外部から流入した空気は、矢印で示したようにノズルヘッドの下を通りユーザの鼻の部分に達する。ノズルヘッド１１の射出孔は微細なため、射出された香料は送り込まれた空気により完全に気化して、その香りをユーザに感じさせることができる。本実施例ではノズルヘッドは鉛直下向きに固定されているが、必ずしもこれに限るものではなく、例えば水平方向に射出するように設定することも可能であり、ファンとの組み合わせで、気化した香料がユーザの鼻に到達するように構成すればよい。
【００１４】
図２（１）は、ノズルヘッド１１と香料タンク１２をユニット化した、香料射出ユニットの斜視図である。香料射出ユニットは１２８×４個の吐出口（以下「ノズル」ともいう）１１１を一列に配列した射出ヘッド１１２を具えている。吐出口１１１はポリサルフォン等の樹脂で成形されたオリフィスプレートにレーザー等で穴あけされて作られたものである。この記録ヘッド１１２後部に香料タンク１２３が接合しており、この香料タンク１２３の内部はスポンジ等の液体吸収保持体（不図示）により香料が貯えられている。液体香料は供給路１１４を伝ってノズルヘッド１１２に送られる。なお、本実施形態の香料タンク１１３は内部にスポンジを有したものとしたが、これに限定するのではなく、所定の負圧を有した構造をもった香料保持袋でできたタンクや香料吸収保持体と液状の香料とを混在させた構成であってもよい。
【００１５】
香料タンク１２は、１２３Ａ〜１２３Ｄの４つのタンクから構成される。これらのタンクに保持された香料は独立した供給路１１４を経由して、それぞれノズル１１１Ａ〜１１１Ｄから射出される（図２（２）参照）。このような構成にすることで、複数種類の香料をタンク１２３Ａ〜１２３Ｄへ充填し、それぞれ単独で射出のみならず、複数種類の香料を混合させて射出することもできるので、より多くの種類の香りを発生することが可能となる。本実施形態では、４つのタンクおよびノズルヘッドの例を示したが、これ以下あるいはこれ以上の数も自明に拡張可能である。
【００１６】
また、ノズルヘッド１１と香料タンク１２をユニット化した香料射出ユニットをカセットとして、筐体１０に着脱可能にし（図示せず）、さらに異なる香料によりより多くの香り発生が可能になる。
【００１７】
図２（３）は、射出ヘッド１１２を拡大した斜視図である。吐出口１１１から連続した液路１１５には吐出ヒータ１１６が設けられており、この吐出ヒータ１１６を発熱させ、液路１１５内の香料に気泡を発生させ、この気泡の生成圧力によって吐出口１１１から香料を吐出させる仕組みとなっている。香料は液路１１５の後方に具えられた液室１１７から液路１１５を充填している。液室１１７の香料は香料タンク１２３から供給路１１４を伝って供給されたものである。
【００１８】
また、ヘッド温度を検出するためのダイオードセンサ１１８が具えられている。本実施形態では、ダイオードセンサ１１８はヒータ基板に半導体プロセス等で同時に形成されたものである。このダイオードセンサ１１８は不図示の電気基板と結合されており、出力を温度に換算できるようになっている。なお、温度検出手段はダイオードセンサ１１８に限らず、サーミスタなど他のものであってもよい。
【００１９】
各吐出口１１１の１回の吐出では約５〜１０ｎｇ程度の香料滴が飛翔するようになっている。また、吐出中の所定時間ごとに、例えば５０ｍｓ単位の時間ごとにヘッドの温度をダイオードセンサ１１８が検出し、この検出結果にしたがって吐出される香料滴の量が一定となる様に駆動パルスを増減させて制御している。本実施形態では吐出時の駆動周波数は約１０ＫＨｚであるが、これに限定するものではない。
【００２０】
さらに、本体内の基板に設置されたサーミスタから機内温度などの環境温度と、ヘッド温度とによって、駆動パルスの補正処理を行うというものであってもよい。
【００２１】
香り発生装置を図３の実施例を用いて動作をさらに詳細に説明する。
香料放出部１０には、上述したノズルヘッド１１、香料タンク１２の他に、香料の吐出を制御するコントロール命令を受け、命令を駆動パルスに変換するための香料コントローラ１３、風を送るファン１５、ファン１５を制御する命令をファン駆動電圧に変換するファンコントローラ１６を具備する。これらのコントローラは制御部２０からの命令を受け取るだけでなく、ノズルヘッド１１、香料タンク１２、ファン１５の状態をデータとして制御部２０に送る機能も有している。制御部２０は、一般的に用いられるコンピュータの制御部で、最小限の構成としてＣＰＵ２１、ＲＯＭ２２、ＲＡＭ２３からなる。また本構成にはユーザが香りの発生命令や発生のためのさまざまなパラメータを入力するための入力装置３１（例えばボタン、キーボード、マウスなど）、入力信号を所定のデータ形式にして制御部に伝えるための入力コントローラ３２、およびユーザの入力データや装置の状態を可視化するための表示装置４１（例えば液晶ディスプレイＬＣＤなど）、データを表示装置特有の形式に変換するための表示コントローラ４２を備える。これらの処理コンポーネントはコンピュータバス５０で接続されている。
【００２２】
各処理コンポーネントは、図１（１）に示すような筐体の中に一体化し組み込まれても良いし（図示せず）、別筐体であっても構わない。
【００２３】
この装置を用いて香りをコントロールして射出させるために、ユーザは図４に示すようなパラメータを入力装置３１に用いて入力する。設定結果は表示装置の画面に出力されるので、画面上でパラメータの修正も可能である。
【００２４】
図４においてヘッド・香料情報は、ヘッド１１１Ａ、１１１Ｂ、１１１Ｃ、１１１Ｄに対応するタンク１２３Ａ、１２３Ｂ，１２３Ｃ、１２３Ｄに入っている香料情報が格納されている。この例では、上記のタンクの順に「ラベンダ」、「ベルガモット」、「ローズ」、「ペパーミント」の香料が入っている。吐出情報には各ヘッドから吐出される香料の濃度が０〜１２７の１２８段階で示されている。各ヘッドはそれぞれ１２８個のノズルを備えているので、この濃度値を香料が吐出されるノズルの数に置き換えて吐出する。このことにより香料の吐出濃度の線形性が保たれる。図４の例では、ラベンダの吐出濃度が１２７、ベルガモットは３０、ローズは６９、ペパーミントは５である。それぞれの欄外にチェックボックス□があり、吐出させるヘッドを選択するとチェックボックスが■に変化する。図の例ではローズのヘッドが選択されている。吐出パルスは、連続して吐出する時間であり、吐出間隔は次の吐出までの時間を示し、吐出時間は吐出動作全体の時間である。この例の場合、濃度６９のローズが０．３秒間パルス状に吐出され、０．５秒の間隔をあけて再び、０．３秒間吐出され、という動作を１０秒間にわたって継続することを示している。ファンはファンの強さを１０段階（０〜９）で表現している。これらの情報は制御装置内のＲＯＭ２２に格納され、ユーザの入力によって書き換えられ必要に応じて読み出される。図４のようなＧＵＩ形式では、簡単にパラメータが設定できるが、複雑な吐出パターンの指定ができない。このときは図５に示すようなスクリプトファイルを作成する。スクリプトファイルは香りの吐出をパラメータ付のコマンドで時間方向の香料吐出をコントロールすることができる。図５の例では、まずファン１５が風量９で駆動され、図４と同じ濃度パラメータで、ラベンダが０．３秒間吐出された後、０．５秒の間隔をあけてベルガモットが０．８秒吐出され、０．５秒後にローズ、ペパーミントが同時に１．８秒間吐出され、ファンを停止させて動作が終了する。
【００２５】
香り発生装置の動作フローを図６を用いて説明する。装置の電源投入後ステップＳ５０にて各コンポーネントの初期化が行われる。香り放出部では、インクジェットプリンタで通常行われるヘッドの初期化で香料を吐出可能な状態にする。また制御部では、メモリの初期化などの処理が行われる。次のステップＳ１００では、ユーザからの入力待ち状態となる。ユーザ入力があった場合に、入力内容が判別され、入力内容に従って処理が振り分けられる。入力内容が（１）吐出開始指示（例えば、ボタンの押下やＧＵＩボタンのクリックなど）の場合、後述するステップＳ３００が実行される。また（２）終了指示（ボタンの押下、ＧＵＩボタンのクリック）の場合、処理を終了して電源をＯＦＦする。
【００２６】
入力内容が（１），（２）以外の場合には、ステップＳ２００が実行される。ステップＳ２００は、表示装置４１、入力装置３１を用いて図４のようなパラメータ設定あるいは図５のような香り射出シナリオを作成したり、実際に実行させる射出シナリオファイルをＲＡＭ２３に呼び出したりする。ステップ３００ではこれら設定されたパラメータまたは射出シナリオに基づいた射出動作が実行される。例えば、図５のようなシナリオファイルの場合、ファンに関するコマンドは制御部よりファンコントローラに、射出コマンドは香料コントローラ１３に、シナリオに記載されたタイミングで送出される。このようにして一連の射出動作を行ない完了した時点で、ステップＳ１００の入力待ち処理に戻る。
【００２７】
［嗅覚の二点閾値］
以上の構成からなる香り発生装置を用いて香りの濃度や射出タイミングを正確にコントロールすることが可能になるので、この機能を用いて香り射出のパターンを変化させてユーザが香りをどのように感じるかを調べることができる。
【００２８】
まず最初の実験として、微小な香りのパルス出力に対して人間がどう感じるかを調べる。図７（１）に示すように濃度ｄで射出時間Ｔのパルス状の香りの射出を２回行なう。この２回の射出の間隔を△ｔとすると、図７（２）に示すように△ｔが十分に大きいときには、２回の射出を別々の射出と感じるが、△ｔが小さいときには、２回の射出を１回の射出と区別できなくなると予想される。これは、図７（３）に示すような痛覚の２点閾値（２点の刺激が区別できる距離）から類推して、２回の射出を区別可能な嗅覚の２点時間閾値（時間間隔△ｔ）が存在することになる。
【００２９】
［実験１］
このことを確かめるために、被験者１５名（２０代男性１４名、女性１名）による官能検査を行なった。図７（１）に示すように、最初の香料射出から２回目の香料射出時間を変化させ、被験者に「１回の射出」か「２回の射出」かを回答させた。香料としてマスカットおよびレモングラスの人工香料を用い、濃度はそれぞれの認知閾値を測定し、認知閾値の２倍の濃度とし、また１回の射出時間Ｔは、０．３秒とした。図８は実験結果のヒストグラムで、図８（１）は香料がマスカットの場合、図８（２）はレモングラスの場合である。横軸は被験者が２回の射出と感じた最小の時間間隔△ｔ、縦軸は被験者数である。ヒストグラムから△ｔが０．５秒以下の２回の射出を分離して感じた被験者はおらず、０．７秒付近を中心に分布していることがわかった。平均時間間隔はマスカット、レモングラスの場合とも０．７５秒（標準偏差はそれぞれ０．１５秒、０．１７秒）であった。
【００３０】
［実験２］
上述した実験１では２回の射出において同じ香りを用いたが、実験２では１回目と２回目の射出に異なる香りを用いて、２点時間閾値がどう変化するかを調べる。図７（１）と同じ方法で実験を行なうが、図９に示すように２回目に射出する香りを１回目の香りと異なるものを用いた。図１０（１）はマスカットを１回目、レモングラスを２回目に射出したときの結果、図１０（２）は１回目がレモングラス、２回目がマスカットである。被験者が２回の射出と感じた最小の時間間隔△ｔは、図８のヒストグラムと比較して短くなっている。平均時間間隔は前者の場合０．３４秒（標準偏差０．２１秒）、後者の場合０．３７秒（標準偏差０．２０秒）であった。
【００３１】
２つの実験結果から、相違香の２点時間閾値は同一香の２点時間閾値の約半分となっている。嗅覚の特性として、同じ香りを嗅ぎ続けると順応反応により香りを感じにくくなることがわかっているが、最初の射出の香りを嗅いだ後、次の同じ香りを感じるまで順応状態から元に戻るまで時間がかかることを、この実験結果は示している。一方異なる香りを続けて嗅いだ場合には、最初の香りが音の香りによってすぐ打ち消されるマスキング効果があるため、２つの香りが極めて短い間隔で射出されても混じった香りとしてではなく、異なった香りとして感じられる。これらの実験結果は、以上の理由から説明することが可能である。
【００３２】
［残香と風の影響］
上述のような実験を行なって正確な２点時間閾値を求めるためには、残香の影響を排除する必要がある。本実施形態の図１に示すような構成で香料の吐出量と吐出時間は正確に制御できるが、吐出後気化して空気中に拡散した香りの制御は一般的には困難である。すなわち気化した香りが、発生装置周辺に留まり、ノズルヘッド１１から香りを射出していなくとも以前射出した香りを感じることがある。これを残香と呼ぶ。本実施形態においては図１に示すようにファン１５を具備しているため、残香の影響を減らすことができる。これを実験３の結果をもとに説明する。
【００３３】
［実験３］
残香の様子を調べるために、実験１，２の被験者のうち１２名に対して、図１１に示すように０．３秒のパルス状の香り吐出を１回だけ行い、その香りが感じなくなる時間△ＴＲを調べた。ファンの強さを調節して風速を変化させ、香りの感じ終わり時間を計測することにより、風速と残香時間の関係を明らかにする。香料はマスカットを用いて、香り濃度はマスカットの認知閾値の２倍と５倍にした。風速は、０．８ｍ毎秒から１．８ｍ毎秒の間で変化させた。結果を図１２に示す。濃度によらず風速が上がるに従って、感じ終わりの時間平均値は下がっている。風速０．８ｍ毎秒では、濃度５倍の場合が３．３秒に対して濃度２倍の場合が２．９秒と濃度によって差があるが、風速が大きくなるにつれてその差がなくなっている、しかも風速１．７ｍ〜１．８ｍ毎秒では感じ終わりの平均時間の差がない。このことにより風速１．７ｍ〜１．８ｍ毎秒では残香の影響が排除されていると言える。実験１、２は残香の影響のない風速１．８ｍ毎秒で行なった。
【００３４】
［香りの射出間隔と香りの感じ方の関係］
実験１である時間閾値より短い間隔で香りを射出すると、射出回数が把握できなくなることを示したが、この現象を利用して断続的なパルス状の香りで連続的に香りが射出しているかのように感じさせられるかを実験する。実験１では射出回数は把握できないものの、完全に連続射出と同じように感じるかは不明のため、実験１の時間閾値より短い射出間隔のパルス状射出と連続射出との感じ方の違いを調べる。
【００３５】
［実験４］
図１３に示すように０．３秒間のパルス状射出の間隔△ｔを変化させて、どのように感じたかの官能試験を行った。△ｔは、０．６秒、０．４秒、０．２秒、および比較データとして０秒（連続）の場合について行った。感じ方は次の４パターン、「連続に感じた」、「不連続に感じた」、「だんだん強く感じた」、「だんだん弱く感じた」から選択するようにした。香りは「マスカット」を用い、濃度は認知閾値の２倍とした。図１４に結果を示す。図１４（１）は、△ｔ＝０．６秒、（２）は△ｔ＝０．４秒、（３）は△ｔ＝０．２秒、（４）は△ｔ＝０秒（連続）の場合である。△ｔが小さくなるに従って、不連続と感じる人の割合が減り、連続と感じる人の割合が増えている。（３）と（４）を比較すると、連続と感じた人の数は、（３）が上回っている。さらに（４）の場合には、だんだん弱くなっていると感じた人が４人、だんだん強くなっていると感じた人が１人だったのに対して（３）の場合には、前者が１人、後者２人であり、断続的に香りを射出したほうが、連続的に射出するより、嗅覚順応効果が抑制され、香りが持続的に感じられていることを示している。
【００３６】
本発明により、香りを商品価値とする分野において、新たな製品の開発が可能となる。例えば芳香剤は、容器の蓋を開けて中の香料を徐々に気化させて持続的に香りを射出しているので、芳香剤のある部屋に入った瞬間にその香りを感じるが、嗅覚順応効果によりすぐにその香りを感じなくなってしまう。本発明による電子的制御による断続的な吐出により、芳香剤の香りが持続する効果が期待できる。
【００３７】
また香水は、トップ、ミドル、ラストという３段階のノート（香調）に分かれて香りを感じるように調合されている。ここでトップノートはつけてから５分〜１５分後くらいに香り、ミドルノートは３０分〜１時間後くらい、ラストノートはつけてから２〜３時間後くらいに香るので、香調を考慮した調香を行なう必要がある。本発明による電子的制御による吐出によれば、香調に対応する香料を複数のタンクに密閉保存できるので、任意の時間に任意の香調を再現でき、かつこの香りを断続的に射出することにより、この香調の香りを継続的にユーザに感じさせることができるというメリットがある。
【００３８】
芳香剤についても、揮発性の高い成分から揮発していくので、使用している間に香調が変化し香りが違ってくるという問題があるが、本発明によれば時間によらず香調が変化しない芳香剤を提供することが可能である。
【００３９】
またアロマセラピーでは、神経の覚醒効果や鎮静効果を得るために、複数の精油を組み合わせて香りを発生させる。本発明による電子的制御による吐出により、組み合わせを時間的に変化させたり、吐出の時間間隔により、組み合わせた香りを異なる香りとして連続的に感じさせることができるなど、従来になかった香りの発生方法により新たな効能が発見される可能性もある。
【図面の簡単な説明】
【００４０】
【図１】本発明の香り発生装置の全体図、側面図、および動作を説明する図である。
【図２】本発明の香り発生装置の香料射出ユニットを説明する斜視図である。
【図３】本発明の香り発生装置の実施例の構成を説明するブロック図である。
【図４】本発明の香り発生装置を動作させるためのパラメータの一覧表である。
【図５】本発明の香り発生装置を動作させるためのスクリプトファイルの例である。
【図６】本発明の香り発生装置の実施例の一動作例を説明するフローチャート図である。
【図７】本発明の香り発生方法における嗅覚２点時間閾値（同一香）の概念を説明する図である。
【図８】実験１の嗅覚２点閾値実験結果（同一香の場合）を示す図である。
【図９】本発明の香り発生方法における嗅覚２点時間閾値（相違香）の概念を説明する図である。
【図１０】実験２の嗅覚２点閾値実験結果（相違香の場合）を示す図である。
【図１１】本発明の香り発生方法における残香の影響を調べるため香りの感じ終わり時間を測定する実験３を説明する図である。
【図１２】実験３の風速と香りの感じ終わり時間との関係を示す図である。
【図１３】本発明の香り発生方法における断続吐出の概念を示す図である。
【図１４】実験４の断続吐出と香り感じ方の関係を示す実験結果を示す図である。
【符号の説明】
【００４１】
１０  香り発生装置
１１、１１２  ノズルヘッド
１１１  吐出口
１１４  液供給路
１１５  液路
１１７  液室
１１８  ダイオードセンサ
１２、１２３  香料タンク、
１３  香料コントローラ
１５  ファン
１６  ファンコントローラ
２０  制御部
２１  ＣＰＵ
２２  ＲＯＭ
２３  ＲＡＭ
３１  入力部
３２  入力コントローラ、
４１  表示部
４２  表示コントローラ
５０  コンピュータバス
【図１】
2008061937.tif 000003
【図２】
2008061937.tif 000004
【図３】
2008061937.tif 000005
【図４】
2008061937.tif 000006
【図５】
2008061937.tif 000007
【図６】
2008061937.tif 000008
【図７】
2008061937.tif 000009
【図８】
2008061937.tif 000010
【図９】
2008061937.tif 000011
【図１０】
2008061937.tif 000012
【図１１】
2008061937.tif 000013
【図１２】
2008061937.tif 000014
【図１３】
2008061937.tif 000015
【図１４】
2008061937.tif 000016